(57)【特許請求の範囲】
【請求項１】
ユーザ機器（ＵＥ）（１２）であって、
物理チャネルがサブフレームのセットにわたって反復される旨のインジケーションを受け取り、
前記ＵＥは前記物理チャネルの前記反復の第１のサブセットおよび参照信号が第１のプリコーダを用いると想定することができる旨のインジケーションを受け取る
ように構成された、処理モジュール（３０）とメモリモジュール（３６）とを備えた回路
を備える、ユーザ機器（ＵＥ）（１２）。
【請求項２】
前記回路は、
前記物理チャネルを復号するために、前記物理チャネルの前記反復の前記第１のサブセットの複数をコヒーレントに組み合わせる
ようにさらに構成される、請求項１に記載のＵＥ（１２）。
【請求項３】
前記回路は、
前記物理チャネルが、第１のサブフレームにおいて第１のアンテナポート上で、および第２のサブフレームにおいて第２のアンテナポート上で送信されたと決定する
ことによって、前記ＵＥは前記物理チャネルの前記反復の前記第１のサブセットおよび前記参照信号が前記第１のプリコーダを用いると想定することができる旨の前記インジケーションを受け取るように構成される、請求項１または２に記載のＵＥ（１２）。
【請求項４】
前記回路は、
複数の周波数帯域のうちの１つにおいて前記物理チャネルを受信することであって、前記周波数帯域は、前記物理チャネルが送信されたサブフレームのインデックスに従って決定される、受信することと、
第２のプリコーダを用いて送信された参照信号を用いて、前記物理チャネルの前記反復の第２のサブセットを受信することと
を行うようにさらに構成される、請求項１または２に記載のＵＥ（１２）。
【請求項５】
前記回路は、
前記物理チャネルが、第１および第３のサブフレームにおいて第１および第２のアンテナポート上で送信されることを決定することであって、リソースエレメントの第１および第２のサブセットが、それぞれ前記第１および前記第３のサブフレームにおいて前記第１および第２のアンテナポートに関連付けられる、決定することと、
リソースエレメントの前記第１のサブセットが前記第１のプリコーダによって送信され、リソースエレメントの前記第２のサブセットが第２のプリコーダによって送信されることを決定することによって、前記ＵＥは前記物理チャネルの前記反復の前記第１のサブセットおよび前記参照信号が前記第１のプリコーダを用いると想定することができる旨の前記インジケーションを受け取るように構成される、請求項１または２に記載のＵＥ（１２）。
【請求項６】
前記回路は、
リソースエレメントの前記第１および前記第２のサブセットが、それぞれ第２および第４のサブフレームにおいて前記第２および第１のアンテナポートに関連付けられることを決定し、
リソースエレメントの前記第１のサブセットが前記第２のプリコーダによって送信され、リソースエレメントの前記第２のサブセットが前記第１のプリコーダによって送信されることを決定する
ようにさらに構成される、請求項５に記載のＵＥ（１２）。
【請求項７】
前記回路は、
前記物理チャネルの前記反復の前記第１のサブセットのシステムタイミング値を決定することによって、前記ＵＥは前記物理チャネルの前記反復の前記第１のサブセットおよび前記参照信号が前記第１のプリコーダを用いると想定することができる旨の前記インジケーションを受け取るように構成される、請求項１または２に記載のＵＥ（１２）。
【請求項８】
前記システムタイミング値は、周波数ホッピング周期を示すパラメータである、請求項７に記載のＵＥ（１２）。
【請求項９】
前記物理チャネルは、物理ダウンリンク共有チャネル（ＰＤＳＣＨ）である、請求項１から８のいずれか一項に記載のＵＥ（１２）。
【請求項１０】
前記物理チャネルがサブフレームの前記セットにわたって反復される旨の前記インジケーション、および前記ＵＥは前記物理チャネルの前記反復の前記第１のサブセットおよび前記参照信号が前記第１のプリコーダを用いると想定することができる旨の前記インジケーションは、進化型ノードＢ（ｅＮＢ）（１０）からもたらされる、請求項１から９のいずれか一項に記載のＵＥ（１２）。
【請求項１１】
ユーザ機器（ＵＥ）（１２）を動作させる方法であって、
物理チャネルがサブフレームのセットにわたって反復される旨のインジケーションを受け取ることと、
前記ＵＥは前記物理チャネルの前記反復の第１のサブセットおよび参照信号が第１のプリコーダを用いると想定することができる旨のインジケーションを受け取ることと
を含む、方法。
【請求項１２】
前記物理チャネルを復号するために、前記物理チャネルの前記反復の前記第１のサブセットの複数をコヒーレントに組み合わせること
をさらに含む、請求項１１に記載の方法。
【請求項１３】
前記ＵＥは前記物理チャネルの前記反復の前記第１のサブセットおよび前記参照信号が前記第１のプリコーダを用いると想定することができる旨のインジケーションを受け取ることは、
前記物理チャネルが、第１のサブフレームにおいて第１のアンテナポート上で、および第２のサブフレームにおいて第２のアンテナポート上で送信されたことを決定すること
を含む、請求項１１または１２に記載の方法。
【請求項１４】
複数の周波数帯域のうちの１つにおいて前記物理チャネルを受信することであって、前記周波数帯域は、前記物理チャネルが送信されたサブフレームのインデックスに従って決定される、受信することと、
第２のプリコーダを用いて送信された参照信号を用いて、前記物理チャネルの前記反復の第２のサブセットを受信することと
をさらに含む、請求項１１または１２に記載の方法。
【請求項１５】
前記ＵＥは前記物理チャネルの前記反復の前記第１のサブセットおよび前記参照信号が前記第１のプリコーダを用いると想定することができる旨のインジケーションを受け取ることは、
前記物理チャネルが、第１および第３のサブフレームにおいて第１および第２のアンテナポート上で送信されることを決定することであって、リソースエレメントの第１および第２のサブセットは、それぞれ前記第１および前記第３のサブフレームにおいて前記第１および前記第２のアンテナポートに関連付けられる、決定することと、
リソースエレメントの前記第１のサブセットが、前記第１のプリコーダによって送信され、リソースエレメントの前記第２のサブセットが、第２のプリコーダによって送信されることを決定することと
を含む、請求項１１または１２に記載の方法。
【請求項１６】
リソースエレメントの前記第１および前記第２のサブセットが、それぞれ第２および第４のサブフレームにおいて前記第２および第１のアンテナポートに関連付けられることを決定することと、
リソースエレメントの前記第１のサブセットが前記第２のプリコーダによって送信され、リソースエレメントの前記第２のサブセットが前記第１のプリコーダによって送信されることを決定することと
をさらに含む、請求項１５に記載の方法。
【請求項１７】
前記ＵＥは前記物理チャネルの前記反復の前記第１のサブセットおよび前記参照信号が前記第１のプリコーダを用いると想定することができる旨のインジケーションを受け取ることは、
前記物理チャネルの前記反復の前記第１のサブセットのシステムタイミング値を決定すること
を含む、請求項１１または１２に記載の方法。
【請求項１８】
前記システムタイミング値は、周波数ホッピング周期を示すパラメータである、請求項１７に記載の方法。
【請求項１９】
前記物理チャネルは、物理ダウンリンク共有チャネル（ＰＤＳＣＨ）である、請求項１１から１８のいずれか一項に記載の方法。
【請求項２０】
前記物理チャネルがサブフレームの前記セットにわたって反復される旨の前記インジケーション、および前記ＵＥは前記物理チャネルの前記反復の前記第１のサブセットおよび前記参照信号が前記第１のプリコーダを用いると想定することができる旨の前記インジケーションは、ｅＮＢ（１０）からもたらされる、請求項１１から１９のいずれか一項に記載の方法。
【請求項２１】
進化型ノードＢ（ｅＮＢ）（１０）であって、
ユーザ機器（ＵＥ）（１２）に、物理チャネルがサブフレームのセットにわたって反復される旨を示し、
前記ＵＥ（１２）に、前記ＵＥ（１２）は前記物理チャネルの前記反復の第１のサブセットおよび参照信号が第１のプリコーダを用いると想定することができる旨を示す
ように構成された、処理モジュール（４０）とメモリモジュール（４６）とを備えた回路
を備える、進化型ノードＢ（ｅＮＢ）（１０）。
【請求項２２】
前記回路は、
前記物理チャネルを、第１のサブフレームにおいて第１のアンテナポート上で、および第２のサブフレームにおいて第２のアンテナポート上で送信することによって、前記ＵＥは前記物理チャネルの前記反復の前記第１のサブセットおよび前記参照信号が前記第１のプリコーダを用いると想定することができる旨を示すように構成される、請求項２１に記載のｅＮＢ（１０）。
【請求項２３】
前記回路は、
複数の周波数帯域のうちの１つにおいて前記物理チャネルを送信することであって、前記周波数帯域は、前記物理チャネルが送信されたサブフレームのインデックスに従って決定される、送信することと、
第２のプリコーダを用いて、前記物理チャネルの前記反復の第２のサブセットのための前記参照信号を送信することと
を行うようにさらに構成される、請求項２１に記載のｅＮＢ（１０）。
【請求項２４】
前記回路は、
前記物理チャネルを、第１および第３のサブフレームにおいて第１および第２のアンテナポート上で送信することであって、リソースエレメントの第１および第２のサブセットが、それぞれ前記第１および前記第３のサブフレームにおいて前記第１および第２のアンテナポートに関連付けられる、送信することと、
前記第１のプリコーダを用いてリソースエレメントの前記第１のサブセットを、および第２のプリコーダを用いてリソースエレメントの前記第２のサブセットを送信することと
を行うことによって、前記ＵＥは前記物理チャネルの前記反復の前記第１のサブセットおよび前記参照信号が前記第１のプリコーダを用いると想定することができる旨を示すように構成される、請求項２１に記載のｅＮＢ（１０）。
【請求項２５】
前記回路は、
リソースエレメントの前記第１および前記第２のサブセットを、それぞれ第２および第４のサブフレームにおいて前記第２および第１のアンテナポートに関連付け、
前記第２のプリコーダを用いてリソースエレメントの前記第１のサブセットを、および前記第１のプリコーダを用いてリソースエレメントの前記第２のサブセットを送信する
ようにさらに構成される、請求項２４に記載のｅＮＢ（１０）。
【請求項２６】
前記回路は、
前記ＵＥ（１２）に、前記物理チャネルの前記反復の前記第１のサブセットのシステムタイミング値を示すことによって、前記ＵＥは前記物理チャネルの前記反復の前記第１のサブセットおよび前記参照信号が前記第１のプリコーダを用いると想定することができる旨を示すように構成される、請求項２１に記載のｅＮＢ（１０）。
【請求項２７】
前記システムタイミング値は、周波数ホッピング周期を示すパラメータである、請求項２６に記載のｅＮＢ（１０）。
【請求項２８】
前記物理チャネルは、物理ダウンリンク共有チャネル（ＰＤＳＣＨ）である、請求項２１から２７のいずれか一項に記載のｅＮＢ（１０）。
【請求項２９】
反復された送信にわたってダイバーシティをもたらすように進化型ノードＢ（ｅＮＢ）（１０）を動作させる方法であって、
ユーザ機器（ＵＥ）（１２）に、物理チャネルがサブフレームのセットにわたって反復される旨を示すこと（１００）と、
前記ＵＥ（１２）に、前記ＵＥ（１２）は前記物理チャネルの前記反復の第１のサブセットおよび参照信号が第１のプリコーダを用いると想定することができる旨を示すこと（１０２）と
を含む、方法。
【請求項３０】
前記ＵＥ（１２）は前記物理チャネルの前記反復の前記第１のサブセットが前記第１のプリコーダを用いると想定することができる旨を示すことは、
前記物理チャネルを、第１のサブフレームにおいて第１のアンテナポート上で、および第２のサブフレームにおいて第２のアンテナポート上で送信すること
を含む、請求項２９に記載の方法。
【請求項３１】
複数の周波数帯域のうちの１つにおいて前記物理チャネルを送信することであって、前記周波数帯域は、前記物理チャネルが送信されたサブフレームのインデックスに従って決定される、送信することと、
第２のプリコーダを用いて、前記物理チャネルの前記反復の第２のサブセットのための前記参照信号を送信することと
をさらに含む、請求項２９に記載の方法。
【請求項３２】
前記ＵＥ（１２）は前記物理チャネルの前記反復の前記第１のサブセットが前記第１のプリコーダを用いると想定することができる旨を示すことは、
前記物理チャネルを、第１および第３のサブフレームにおいて第１および第２のアンテナポート上で送信することであって、リソースエレメントの第１および第２のサブセットが、それぞれ前記第１および前記第３のサブフレームにおいて前記第１および第２のアンテナポートに関連付けられる、送信することと、
前記物理チャネルを第２および第４のサブフレームにおいて前記第１および前記第２のアンテナポート上で送信することであって、リソースエレメントの前記第１および前記第２のサブセットは、それぞれ前記第２および前記第４のサブフレームにおいて前記第２および第１のアンテナポートに関連付けられる、送信すること
を含む請求項２９に記載の方法。
【請求項３３】
ユーザ機器（ＵＥ）（１２）であって、
物理チャネルがサブフレームのセットにわたって反復される旨のインジケーションを受け取り、
前記ＵＥ（１２）は前記物理チャネルの前記反復の第１のサブセットおよび参照信号が第１のプリコーダを用いると想定することができる旨のインジケーションを受け取る
ように適合された、ユーザ機器（ＵＥ）（１２）。
【請求項３４】
請求項１２から２０のいずれか一項に記載の方法を行うように適合された、請求項３３に記載のＵＥ（１２）。
【請求項３５】
少なくとも１つのプロセッサ上で実行されたとき、前記少なくとも１つのプロセッサに、請求項１１から２０のいずれか一項に記載の方法を遂行させる命令を備えた、コンピュータプログラム。
【請求項３６】
請求項３５に記載のコンピュータプログラムを含む、コンピュータ可読記憶媒体。
【請求項３７】
進化型ノードＢ（ｅＮＢ）（１０）であって、
ユーザ機器（ＵＥ）（１２）に、物理チャネルがサブフレームのセットにわたって反復される旨を示し、
前記ＵＥ（１２）に、前記ＵＥ（１２）は前記物理チャネルの前記反復の第１のサブセットおよび参照信号が第１のプリコーダを用いると想定することができる旨を示す
ように適合された、進化型ノードＢ（ｅＮＢ）（１０）。
【請求項３８】
請求項３０から３２のいずれか一項に記載の方法を行うように適合された、請求項３７に記載のｅＮＢ（１０）。
【請求項３９】
少なくとも１つのプロセッサ上で実行されたとき、前記少なくとも１つのプロセッサに、請求項２９から３２のいずれか一項に記載の方法を遂行させる命令を備えた、コンピュータプログラム。
【請求項４０】
請求項３９に記載のコンピュータプログラムを含む、コンピュータ可読記憶媒体。
【請求項４１】
ユーザ機器（ＵＥ）（１２）であって、
物理チャネルがサブフレームのセットにわたって反復される旨のインジケーションを受け取るように動作する通信モジュール（５２）を備え、
前記通信モジュール（５２）は、前記ＵＥ（１２）は前記物理チャネルの前記反復の第１のサブセットおよび参照信号が第１のプリコーダを用いると想定することができる旨のインジケーションを受け取るようにさらに動作する
ユーザ機器（ＵＥ）（１２）。
【請求項４２】
進化型ノードＢ（ｅＮＢ）（１０）であって、
ユーザ機器（ＵＥ）（１２）に、物理チャネルがサブフレームのセットにわたって反復される旨を示すように動作する通信モジュール（５０）を備え、
前記通信モジュール（５０）は、前記ＵＥ（１２）に、前記ＵＥ（１２）は前記物理チャネルの前記反復の第１のサブセットおよび参照信号が第１のプリコーダを用いると想定することができる旨を示すようにさらに動作する
進化型ノードＢ（ｅＮＢ）（１０）。
【発明の詳細な説明】
【技術分野】
【０００１】
関連出願
本出願は、参照によりその開示がその全体において本明細書に組み込まれている、２０１５年８月６日に出願された仮特許出願第６２／２０１，７１８号、および２０１６年７月２９日に出願された正規の特許出願第１５／２２３，４５３号の利益を主張するものである。
【０００２】
本開示の実施形態は、無線通信に関し、より詳細には、時間領域におけるプリコーディングダイバーシティに関する。
【背景技術】
【０００３】
第３世代パートナーシッププロジェクト（３ＧＰＰ）ロングタームエボリューション（ＬＴＥ）技術は、基地局（進化型ノードＢ（ｅＮＢ）と呼ばれる）から移動局（ユーザ機器（ＵＥ）と呼ばれる）への送信が、３ＧＰＰ  ＴＳ  ３６．２１１  ｖ１２．０．０で規定されるように２つの基本エレメント、すなわち、物理信号および物理チャネルを備えた物理レイヤによって送られるモバイルブロードバンド無線通信技術である。物理チャネルは、より上位のレイヤから生じる情報を搬送するリソースエレメントのセット（本明細書で後に定義される）に対応し、物理信号は、物理レイヤによって用いられるが、より上位のレイヤから生じる情報を搬送しない。ダウンリンクＬＴＥ物理チャネルの例は、物理ダウンリンク共有チャネル（ＰＤＳＣＨ）、物理ブロードキャストチャネル（ＰＢＣＨ）、物理マルチキャストチャネル（ＰＭＣＨ）、物理制御フォーマット指示チャネル（ＰＣＦＩＣＨ）、物理ダウンリンク制御チャネル（ＰＤＣＣＨ）、物理ハイブリッド自動再送要求指示チャネル（ＰＨＩＣＨ）、拡張物理ダウンリンク制御チャネル（ＥＰＤＣＣＨ）、およびマシン型通信物理ダウンリンク制御チャネル（ＭＰＤＣＣＨ）を含む。ＬＴＥダウンリンク物理信号の例は、参照信号、同期信号、および発見信号を含む。これらのダウンリンク物理チャネルおよび物理信号は、直交周波数分割多重（ＯＦＤＭ）を用いてＵＥへ送信される。図１は、本開示のいくつかの実施形態による、複数のＵＥ（１２−１から１２−２）に送信するネットワークノード（ｅＮＢ１０）を有するＬＴＥ無線通信ネットワークを示す。
【０００４】
ＯＦＤＭは、信号を周波数において複数の並列なサブキャリアに分割する。ＬＴＥにおける送信の基本ユニットは、物理リソースブロック（ＰＲＢ、あるいは以下ではリソースブロック（ＲＢ）と呼ばれる）であり、その最も一般的な構成では、１２個のサブキャリア、および７個のＯＦＤＭシンボル（１つのスロット）からなる。１つのサブキャリアおよび１つのＯＦＤＭシンボルのユニットは、図２に示されるようにリソースエレメント（ＲＥ）と呼ばれる。したがって、ＲＢは、８４個のＲＥを含む。ＬＴＥ無線サブフレームは、図３に示されるように、周波数において、ＲＢの数がシステムの帯域幅を決定する、複数のＲＢと、時間において２つのスロットから構成される。さらに、時間において隣接する、サブフレーム内の２つのＲＢは、ＲＢペアとして表される。
【０００５】
時間領域において、ＬＴＥダウンリンク送信は、１０ｍｓの無線フレームに体系化され、各無線フレームは、長さＴｓｕｂｆｒａｍｅ＝１ｍｓの１０個の等しいサイズのサブフレームからなる。ダウンリンク（ｅＮＢ１０からＵＥ１２に送信を搬送するリンク）サブフレームにおいてｅＮＢ１０によって送信される信号は、複数のアンテナから送信されることができ、信号は、複数のアンテナを有するＵＥ１２において受信されることができる。無線チャネルは、複数のアンテナポートからの送信された信号を歪ませる。ダウンリンク上のいずれかの送信を復調するために、ＵＥ１２は、ダウンリンク上で送信される参照シンボル（ＲＳ）に依存する。これらのＲＳ、および時間−周波数グリッド内のそれらの位置は、ＵＥ１２に知られており、したがって、これらのシンボルに対する無線チャネルの影響を測定することによってチャネル推定を決定するために用いられることができる。
【０００６】
マルチアンテナ技法は、無線通信システムのデータレートおよび信頼性を著しく向上させることができる。性能は、送信器および受信器が共に複数のアンテナを装備する場合、特に改善され、これは結果として多入力多出力（ＭＩＭＯ）通信チャネルを生じる。このようなシステムおよび／または関連する技法は、一般にＭＩＭＯと呼ばれる。
【０００７】
ＬＴＥにおけるコア構成要素は、ＭＩＭＯアンテナ展開およびＭＩＭＯ関連技法のサポートである。現在、ＬＴＥ−Ａｄｖａｎｃｅｄは、チャネル依存プリコーディングを有する８個のＴｘアンテナに対する８レイヤ空間多重化モードをサポートする。空間多重化モードは、良好なチャネル条件における、より高いデータレートを目的とする。空間多重化動作の図は図４に示され、これはＬＴＥにおけるプリコーディングされた空間多重化モードの送信構造を示す。
【０００８】
図４に示されるように、情報を搬送するシンボルベクトルｓは、ＮＴ×ｒプリコーダ行列Ｗで乗算され、これはＮＴ（ＮＴ個のアンテナポートに対応する）次元ベクトル空間の部分空間に、送信エネルギーを分散するように働く。プリコーダ行列は通常、取り得るプリコーダ行列のコードブックから選択され、通常、プリコーダ行列インジケータ（ＰＭＩ）を用いて示され、これは所与の数のシンボルストリームに対して、コードブック内の一意のプリコーダ行列を指定する。ｓにおけるｒ個のシンボルはそれぞれレイヤに対応し、ｒは送信ランクと呼ばれる。このようにして、複数のシンボルが同じ時間／周波数リソースエレメント（ＴＦＲＥ）にわたって同時に送信されることができるので、空間多重化が達成される。シンボルの数ｒは通常、現在のチャネル特性に適するように適合される。サブキャリアｎ（あるいはデータＴＦＲＥ番号ｎ）上の一定のＴＦＲＥに対する、受信されるＮＲ×１ベクトルｙｎは以下によりモデル化され、
ｙｎ＝ＨｎＷＳｎ＋ｅｎ
ただしｅｎは、ランダムプロセスの具現化として得られるノイズ／干渉ベクトルである。
【０００９】
プリコーダＷは広帯域プリコーダとすることができ、これは周波数にわたって一定、または周波数選択的である。送信ランクが１であるとき、プリコーダＷはＮＴ×１ベクトルであることに留意されたい。
【００１０】
プリコーダ行列はしばしば、ＮＲ×ＮＴ  ＭＩＭＯチャネル行列Ｈの特性と一致するように選ばれ、結果として、いわゆるチャネル依存プリコーディングを生じる。これは一般に閉ループプリコーディングとも呼ばれ、本質的に、ＵＥ１２への送信されるエネルギーの多くを伝達するという意味で強力である、部分空間内に送信エネルギーを集中させるように努める。さらにプリコーダ行列は、チャネルを直交化するように努めるように選択されることもでき、これは、ＵＥ１２における適切な線形等化の後に、レイヤ間干渉が低減されることを意味する。
【００１１】
送信ランク、したがって空間的に多重化されるレイヤの数は、プリコーダの列の数に反映される。効率的な性能のためには、チャネル特性に適合する送信ランクが選択されることが重要である。
【００１２】
マシン型通信（ＭＴＣ）は、オペレータにとって重要な収益源であり、オペレータの観点から非常に大きな潜在性を有する。オペレータが、すでに展開された無線アクセス技術を用いてＭＴＣ  ＵＥにサーブできることは効率的である。したがって、３ＧＰＰ  ＬＴＥは、ＭＴＣの効率的なサポートのための競争力のある無線アクセス技術として調査されてきている。ＭＴＣ  ＵＥ１２のコストを下げることは、「モノのインターネット」の概念の実施のための重要な実現要因である。多くの用途のために用いられるＭＴＣ  ＵＥ１２は、低い動作電力消費を必要とするようになり、低頻度の小さなバースト送信によって通信することが予想される。さらに、規定されたＬＴＥセルカバレッジフットプリントと比べてカバレッジ強化を必要とし得る、建物の内部深くに展開されたデバイスのマシンツーマシン（Ｍ２Ｍ）使用のケースに対するかなりの市場がある。
【００１３】
３ＧＰＰ  ＬＴＥ  Ｒｅｌ−１２は、長い電池寿命を可能にするＵＥ節電モード、およびモデムの複雑さを低減することを可能にする新しいＵＥカテゴリを規定している。３ＧＰＰ  ＬＴＥ  Ｒｅｌ−１３において、ＵＥコストをさらに低減し、カバレッジ強化をもたらすように、さらなるＭＴＣ作業が期待される。コスト低減を可能にするための主要な要素は、任意のシステム帯域幅内のダウンリンクおよびアップリンクにおける、１．４ＭＨｚの低減されたＵＥ  ＲＦ帯域幅を導入することである。この帯域幅は、６個のＲＢに対応する。
【００１４】
無線リンク上でユーザへ送信されるメッセージは、概して制御メッセージまたはデータメッセージとして分類される。制御メッセージは、システムの適切な動作、およびシステム内の各ＵＥ１２の適切な動作を容易にするために用いられる。制御メッセージは、ＵＥ１２からの送信される電力、データがその中でＵＥ１２によって受信されるまたはＵＥ１２から送信されることになるＲＢのシグナリングなどの、機能を制御するためのコマンドを含み得る。
【００１５】
３ＧＰＰ  ＬＴＥ  Ｒｅｌ−８において、サブフレーム内の最初の１つから４つのＯＦＤＭシンボルは構成に応じて、図３に示されるようにこのような制御情報を含むように予約される。Ｒｅｌ−１１以降の通常の（非ＭＴＣ）ＵＥ１２に対して、ＵＥ１２は物理ダウンリンク制御チャネル（ＰＤＣＣＨ）に加えて、拡張物理ダウンリンク制御チャネル（ＥＰＤＣＣＨ）をモニタするように構成されることができる。
【００１６】
このようにＥＰＤＣＣＨが、図５に示されるように、Ｒｅｌ−１１において導入される。そこではデータ領域内の２、４、または８個の物理リソースブロック（ＰＲＢ）ペアが、専らＥＰＤＣＣＨ送信を含むために予約されるが、それらはＲｅｌ−１１より前のリリースのＵＥ１２に送信される制御情報を含み得る１から４個の最初のシンボルをＰＲＢペアから除外する。図５は、１０個のＲＢペアを示すサブフレーム、およびそれぞれサイズ１のＰＲＢペアの３つのＥＰＤＣＣＨ領域（下、中、および上）の構成を示す（ＥＰＤＣＣＨに対する現在のＬＴＥ仕様は、サイズ１のＰＲＢペアのＥＰＤＣＣＨ領域をサポートしないので、図は概念を示すためのみに用いられる）。残りのＰＲＢペアは、物理ダウンリンク共有チャネル（ＰＤＳＣＨ）送信のために用いられることができる。
【００１７】
したがって、ＰＤＳＣＨ送信と時間多重化されるＰＤＣＣＨとは対照的に、ＥＰＤＣＣＨはＰＤＳＣＨ送信と周波数多重化される。またＰＲＢペア内のＰＤＳＣＨとＥＰＤＣＣＨ送信の多重化は、ＬＴＥ  Ｒｅｌ−１１ではサポートされないことに留意されたい。
【００１８】
さらに、ＥＰＤＣＣＨ送信の２つのモード、つまり局所型および分散型ＥＰＤＣＣＨ送信がサポートされる。
【００１９】
拡張制御チャネルエレメント（ＥＣＣＥ）の物理リソースへのマッピングを容易にするために、各ＰＲＢペアは１６個の拡張リソースエレメントグループ（ＥＲＥＧ）に分割され、各ＥＣＣＥは、
0006596573.tif 000002
、または
0006596573.tif 000003
のＥＲＥＧにさらに分割される。通常サイクリックプレフィックス（ＣＰ）および通常のサブフレームに対しては、ＴＳ  ３６．２１３で述べられるようにいくつかの条件が満たされない限り、
0006596573.tif 000004
である。拡張ＣＰに対して、およびフレーム構造２（時分割複信（ＴＤＤ））に対するいくつかの特別サブフレームにおいて、
0006596573.tif 000005
が用いられる。ＥＰＤＣＣＨは、その結果としてアグリゲーションレベルに応じて４または８個のＥＲＥＧの複数にマッピングされる。
【００２０】
ＥＰＤＣＣＨに属するこれらのＥＲＥＧは、単一のＰＲＢペア（局所型送信に対して典型的であるように）、または複数のＰＲＢペア（分散型送信に対して典型的であるように）に位置する。ＰＲＢペアのＥＲＥＧへの分割は図６に示され、これは、通常のサブフレームにおける通常ＣＰ構成のＰＲＢペアを示す。濃い影の四角形は、復調用参照信号（ＤＭＲＳ）を含む。各タイルはＲＥであり、その中の番号は、ＲＥが属するＥＲＥＧに対応する。薄い影のＲＥは、インデックスが０の同じＥＲＥＧに属するＲＥに対応し、以下同様となる。
【００２１】
ＥＰＤＣＣＨは図６に示されるように、復調のためにＤＭＲＳを用いる。ＰＲＢペアごとにＤＭＲＳのために予約された２４個のＲＥがある。分散型ＥＰＤＣＣＨに対しては、アンテナポート１０７および１０９として知られる、通常ＣＰのための各ＰＲＢペアにおいて２つのＤＭＲＳアンテナポートがある。これら２つのポートは、ＰＲＢペアにおけるすべての分散型ＥＰＤＣＣＨメッセージのために用いられ、二重アンテナダイバーシティをもたらす（ｅＮＢ１０が別個のアンテナから各ポートを送信することを選ぶ場合、これは実装の選択となる）。局所型ＥＰＤＣＣＨに対しては４つまでのアンテナポート１０７〜１１０があり、各ポートはそのＰＲＢペア内の１つのＥＰＤＣＣＨメッセージのみによって用いられる。
【００２２】
ポート１０７はＰＲＢペア内の２４個のＲＥのうちの１２個のＲＥを用い、ポート１０９は他の１２個のＲＥを用いる。したがって、ポート１０７および１０９に属するＤＭＲＳ  ＲＥは、ＰＲＢペアにおいて時間および周波数多重化される。一方、ポート１０７および１０８（およびまたポート１０９／１１０）は同じＲＥを用いるが、同じサブキャリア上の４つのＲＥ上で、直交カバーコード（ＯＣＣ）を適用することによって符号多重化される。
【００２３】
分散型ＥＰＤＣＣＨを受信するときＵＥ１２は、各ＤＭＲＳ  ＲＥ内のチャネルを推定し、次いで各サブキャリア内のＯＣＣ、およびＰＲＢペア内の対応する３つのサブキャリアを用いて、それぞれアンテナポート１０７および１０９に対するチャネル推定を得る。これらのチャネル推定は、次いでＥＰＤＣＣＨを復調するときに用いられる。
【００２４】
ＰＤＳＣＨに対して、ＤＭＲＳベース送信モード（９または１０）の復調のために用いるためのアンテナポート（ポート７〜１５）は、ＰＤＳＣＨをスケジューリングするダウンリンク制御情報（ＤＣＩ）メッセージに含まれる。
【００２５】
ＰＤＳＣＨのためのＤＭＲＳアンテナポート７〜１５は、ＥＰＤＣＣＨのためのＤＭＲＳポート１０７、１０９と、ＰＲＢペア内の同じＲＥを用いる。したがって、ＭＴＣデバイスが用いることになるランク１送信のために、ポート７がＰＤＳＣＨ復調のために用いられることになり、対応するＲＥは図７に示される。
【００２６】
ＰＤＳＣＨ  ＤＭＲＳポートに対して、表１のＯＣＣが適用され、これは通常サイクリックプレフィックスのためのシーケンス
0006596573.tif 000006
を示す。
0006596573.tif 000007
表１
【００２７】
非常に高い伝搬損失を有するＭＴＣ  ＵＥ１２にデータを送信するための、複数のサブフレームにわたるデータ反復が提案されている。この場合、参照信号（例えばＤＭＲＳ）さえも非常に弱く、およびサーブするｅＮＢ１０とＵＥ１２との間のチャネルは、サブフレーム内で信頼性良く推定されることができないことが想定される。参照信号は、チャネルを推定するために複数のサブフレームにわたって累積される必要がある。これは、チャネルが累積期間にわたって一定であるときにのみ可能である。ｅＮＢ１０において複数の送信アンテナが用いられ、参照信号がアンテナにわたってプリコーディングされるとき、累積期間にわたって同じプリコーダが用いられる必要がある。１つの問題は、ｅＮＢ１０がチャネルの十分な知識をもたないとき（これは、このシナリオのもとではチャネルフィードバックが一般に信頼性が良くないので、通常当てはまる）、プリコーダは実際のチャネルに良好に適合することができず、これは結果としてＵＥ１２において不十分な受信性能を生じる。
【発明の概要】
【００２８】
時間領域におけるプリコーディングダイバーシティを可能にするシステムおよび方法がもたらされる。いくつかの実施形態においてユーザ機器（ＵＥ）は、物理チャネルはサブフレームのセットにわたって反復される旨のインジケーションを受け取り、ＵＥは物理チャネルの反復の第１のサブセットおよび参照信号が第１のプリコーダを用いると想定することができる旨のインジケーションを受け取るように構成された、処理モジュールとメモリモジュールとを含んだ回路を含む。このようにして、いくつかの実施形態においてＵＥは、物理チャネルによって用いられる参照信号を含む、反復をコヒーレントに組み合わせることができる。物理チャネルの反復をコヒーレントに組み合わせる能力は、物理チャネルの推定、および反復された参照信号から導き出されるチャネル推定の両方を改善する。
【００２９】
いくつかの実施形態において、可変にプリコーディングされた参照信号に関連付けられた物理チャネルの反復された送信に対してダイバーシティをもたらすためのプリコーダ巡回技法が本明細書でもたらされ、これは反復された送信のコヒーレントな組み合わせを可能にする。本方法は、ＵＥに、物理チャネルはサブフレームのセットにわたって反復される旨、およびＵＥは物理チャネルの反復のサブセットおよび関連付けられた参照信号は１つのプリコーダを用いると想定され得ると想定することができる旨を示す。同じプリコーダを用いる反復は、システムタイミングを通じて、またはどのサブフレームが、物理チャネルに関連付けられた同じアンテナポートを搬送するかによって決定される。
【００３０】
同じプリコーダがサブセットにわたって用いられることができるので、ＵＥは、物理チャネルによって用いられる参照信号を含む、サブセットにおける反復をコヒーレントに組み合わせることができる。物理チャネルの反復をコヒーレントに組み合わせる能力は、物理チャネルの推定、および反復された参照信号から導き出されるチャネル推定の両方を改善する。
【００３１】
本方法は、共通チャネルおよび専用チャネルの両方に、ならびに制御チャネルおよび共有チャネルに適用される。どの反復が同じプリコーダを用いるかを決定する機構は、ユーザデータ、ならびにシステム情報、ランダムアクセス、ページング、およびダウンリンク制御情報（ＭＴＣ物理ダウンリンク制御チャネル（Ｍ−ＰＤＣＣＨ）における）などの制御データに対してもたらされる。
【００３２】
プリコーダ巡回と組み合わせた周波数ホッピングを通じて、さらなるダイバーシティをもたらす強化も本明細書で述べられる。
【００３３】
本明細書で述べられる方法およびシステムは、同じプリコーディングを用いる反復に対するコヒーレントな組み合わせの利得を可能にしながら、物理チャネルの反復された送信に対するダイバーシティ次数を増加させるために、異なるプリコーディングが用いられることを可能にする。ＵＥは用いられるプリコーダを認識する必要はなく、ＵＥ実装を簡単にする。いくつかの実施形態は、アンテナポートごとに参照信号を用いることと比べて、参照信号オーバーヘッドを低減した。本方法は、専用チャネルおよび共通チャネル、ならびに制御および共有チャネルを含む、多様な物理チャネルに適用されることができる。
【００３４】
当業者は、様々な通信ノード（例えばＵＥまたは他の局）が、本明細書で述べられる様々なプロセスを行い得ることを理解するであろう。他の特徴および利点は、当業者に、以下の詳しい説明および図面に照らして明らかになるであろう。
【００３５】
当業者は、添付の図面の図に関連して以下の実施形態の詳しい説明を読んだ後、本開示の範囲を認識し、そのさらなる態様を理解するであろう。
【００３６】
本明細書に組み込まれ、その一部となる添付の図面の図は、本開示のいくつかの態様を示し、説明と共に本開示の原理を説明するために役立つ。
【図面の簡単な説明】
【００３７】
【図１】本開示のいくつかの実施形態による、複数の無線デバイス（ユーザ機器（ＵＥ））およびネットワークノード（進化型ノードＢ（ｅＮＢ））を有する、ロングタームエボリューション（ＬＴＥ）無線通信ネットワークなどの無線通信ネットワークを示す図である。
【図２】本開示のいくつかの実施形態によるＬＴＥダウンリンク物理リソースの図である。
【図３】本開示のいくつかの実施形態によるダウンリンクサブフレームを示す図である。
【図４】本開示のいくつかの実施形態による、ＬＴＥにおけるプリコーディングされた空間多重化モードの送信構造を示す図である。
【図５】本開示のいくつかの実施形態による、３つの拡張物理ダウンリンク制御チャネル（ＥＰＤＣＣＨ）領域の構成を示すダウンリンクサブフレームを示す図である。
【図６】本開示のいくつかの実施形態による、通常のサブフレームにおける通常のサイクリックプレフィックス構成の物理リソースブロック（ＰＲＢ）ペアを示す図である。
【図７】本開示のいくつかの実施形態による、物理ダウンリンク共有チャネル（ＰＤＳＣＨ）復調のためにポート７が用いられるであろうことを示す、リソースエレメント（ＲＥ）を示す。
【図８】本開示のいくつかの実施形態によるＵＥ１２の図である。
【図９】本開示のいくつかの実施形態によるｅＮＢ１０の図である。
【図１０】本開示のいくつかの実施形態によるｅＮＢ１０の動作を示す図である。
【図１１】本開示のいくつかの実施形態によるＵＥ１２の動作を示す図である。
【図１２】本開示のいくつかの実施形態による、時間領域プリコーディングダイバーシティが得られ得る複数の方法のうちの１つを示す図である。
【図１３】本開示のいくつかの実施形態による、時間領域プリコーディングダイバーシティが得られ得る複数の方法のうちの１つを示す図である。
【図１４】本開示のいくつかの実施形態による、時間領域プリコーディングダイバーシティが得られ得る複数の方法のうちの１つを示す図である。
【図１５】本開示のいくつかの実施形態による、２つの復調用参照信号（ＤＭＲＳ）ポートを有するデータ送信を示す図である。
【図１６】本開示のいくつかの実施形態による、２つの復調用参照信号（ＤＭＲＳ）ポートを有するデータ送信を示す図である。
【図１７】本開示のいくつかの実施形態による、２つの狭帯域の間の周波数ホッピングを有するアンテナポート巡回を示す図である。
【図１８】本開示のいくつかの実施形態による、モジュールを含むｅＮＢ１０の図である。
【図１９】本開示のいくつかの実施形態による、モジュールを含むＵＥ１２の図である。
【図２０】本開示のいくつかの実施形態による、ｅＮＢ１０の仮想化された実施形態を示す概略ブロック図である。
【発明を実施するための形態】
【００３８】
以下に記載された実施形態は、当業者が実施形態を実施することを可能にするための情報を表し、実施形態を実施する最良の形態を示す。添付の図面の図に照らして以下の説明を読めば、当業者は本開示の概念を理解し、本明細書で具体的に述べられない概念の適用を認識するであろう。これらの概念および適用は、本開示および添付の特許請求の範囲の範囲に包含されることが理解されるべきである。
【００３９】
以下の説明では数多くの詳細が記載される。しかし、本発明の実施形態は、これらの特定の詳細がなくても実施され得ることが理解される。他の場合において、この説明の理解を不明瞭にしないように、周知の回路、構造、および技法は詳細に示されていない。当業者は、含まれた説明によって過度の実験なしに、適切な機能を実施することができるであろう。
【００４０】
本明細書において「一実施形態」、「実施形態」、「例示の実施形態」等への言及は、述べられる実施形態は特定の機能、構造、または特徴を含み得るが、その特定の機能、構造、または特徴を必ずしもあらゆる実施形態が含むとは限らないことを示す。さらに、このような語句は、必ずしも同じ実施形態を指すとは限らない。さらに、特定の機能、構造、または特徴が実施形態に関連して述べられるときは、明示的に述べられている否かに関わらず、他の実施形態に関連してこのような機能、構造、または特徴を実施することは当業者の知識の範囲内であることが思量される。
【００４１】
以下の説明および特許請求の範囲において、「結合される（ｃｏｕｐｌｅｄ）」および「接続される（ｃｏｎｎｅｃｔｅｄ）」という用語が、それらの派生語と共に用いられ得る。これらの用語は、互いに同義とするものではないことが理解されるべきである。「結合される」は、互いに直接物理的または電気的に接触してもしなくてもよい２つ以上の要素が、協働し、または互いに相互作用することを示すために用いられる。「接続される」は、互いに結合された２つ以上の要素の間での通信の確立を示すために用いられる。
【００４２】
電子デバイス（例えばエンドステーション、ネットワークデバイス）は、コード（ソフトウェア命令から構成される）およびデータを、非一時的機械可読媒体（例えば磁気ディスク、光ディスク、読み出し専用メモリ、フラッシュメモリデバイス、相変化メモリなどの機械可読記憶媒体）および一時的機械可読送信媒体（例えば電気、光、音響、または搬送波、赤外線信号などの他の形の伝搬される信号）などの機械可読媒体を用いて、記憶および送信する（内部的におよび／またはネットワーク上で他の電子デバイスを用いて）。さらに、このような電子デバイスは、１つまたは複数の非一時的機械可読媒体（コードおよび／またはデータを記憶するための）、ユーザ入力／出力デバイス（例えばキーボード、タッチスクリーン、および／またはディスプレイ）、ならびにネットワーク接続（伝搬信号を用いてコードおよび／またはデータを送信するための）など、１つまたは複数の他の構成要素に結合された１つまたは複数のプロセッサのセットなどのハードウェアを含む。プロセッサのセットと、他の構成要素との結合は通常、１つまたは複数のバスおよびブリッジ（バスコントローラとも呼ばれる）による。したがって、所与の電子デバイスの非一時的機械可読媒体は通常、その電子デバイスの１つまたは複数のプロセッサの実行のための命令を記憶する。本発明の実施形態の１つまたは複数の部分は、ソフトウェア、ファームウェア、および／またはハードウェアの種々の組み合わせを用いて実施され得る。
【００４３】
本明細書で用いられるネットワークデバイスまたは装置（例えばルータ、スイッチ、ブリッジ）とは、ネットワーク上の他の機器（例えば他のネットワークデバイス、エンドステーション）と通信するように相互接続する、ハードウェアおよびソフトウェアを含んだ１つのネットワーク機器である。いくつかのネットワークデバイスは、複数のネットワーク化機能（例えばルーティング、ブリッジング、スイッチング、レイヤ２アグリゲーション、セッションボーダ制御、サービス品質、および／または加入者管理）に対するサポートをもたらし、および／または複数のアプリケーションサービス（例えばデータ、音声、およびビデオ）に対するサポートをもたらす、「複数サービスネットワークデバイス」である。加入者エンドステーション（例えばサーバ、ワークステーション、ラップトップ、ネットブック、パームトップ、携帯電話、スマートフォン、マルチメディアフォン、ボイスオーバインターネットプロトコル（ＶＯＩＰ）フォン、ユーザ機器、端末、ポータブルメディアプレーヤ、全地球測位システム（ＧＰＳ）、ゲーミングシステム、セットトップボックス）は、インターネット上でもたらされるコンテンツ／サービス、および／またはインターネットの上にオーバーレイされた（例えばトンネリングされた）仮想プライベートネットワーク（ＶＰＮ）上でもたらされるコンテンツ／サービスにアクセスする。コンテンツおよび／またはサービスは通常、サービスもしくはコンテンツプロバイダに属する１つまたは複数のエンドステーション（例えばサーバエンドステーション）、またはピアツーピアサービスに参加するエンドステーションによってもたらされ、例えばパブリックウェブページ（例えば無料コンテンツ、インターネット店舗、検索サービス）、プライベートウェブページ（例えば電子メールサービスをもたらすユーザ名／パスワードでアクセスされるウェブページ）、および／またはＶＰＮを通した企業ネットワークを含むことができる。通常、加入者エンドステーションは、（例えばアクセスネットワークに（有線または無線で）結合された、顧客構内機器を通じて）エッジネットワークデバイスに結合され、これは他のエッジネットワークデバイスに結合され（例えば１つまたは複数のコアネットワークデバイスを通じて）、これは他のエンドステーション（例えばサーバエンドステーション）に結合される。当業者は、任意のネットワークデバイス、エンドステーション、または他のネットワーク装置が、本明細書で述べられる機能を行うことができることを理解するであろう。
【００４４】
本明細書では一般にロングタームエボリューション（ＬＴＥ）用語が用いられるが、本開示はこれに限定されない。当業者に理解されるように、実施形態は他の無線通信ネットワークにも適用可能となり得る。
【００４５】
図８は、本明細書で述べられる１つまたは複数の実施形態において用いられることができる、いくつかの実施形態によるＵＥ１２（例えばモバイルデバイス）のブロック図である。いくつかの実施形態においてＵＥ１２は、マシンツーマシン（Ｍ２Ｍ）またはマシン型通信（ＭＴＣ）のために構成されたモバイルデバイスとすることができる。ＵＥ１２は、ＵＥ１２の動作を制御する処理モジュール３０を含んだ回路を含む。いくつかの実施形態において処理モジュール３０は、１つまたは複数のプロセッサ（例えば中央処理装置（ＣＰＵ）、特定用途向け集積回路（ＡＳＩＣ）、フィールドプログラマブルゲートアレイ（ＦＰＧＡ）など）を含む。処理モジュール３０は、ネットワーク２内のｅＮＢ１０から信号を受信するため、またはそれに信号を送信およびそれから信号を受信するために用いられる、関連付けられたアンテナ３４を有するトランシーバモジュール３２に結合される。間欠受信（ＤＲＸ）を利用するために処理モジュール３０は、指定された長さの時間の間、受信器またはトランシーバモジュール３２を非活動化するように構成されることができる。回路はまたメモリモジュール３６を備え、これは処理モジュール３０に接続され、ＵＥ１２の動作のために必要なプログラムならびに他の情報およびデータを記憶する。
【００４６】
図９は、本明細書で述べられる実施形態において用いられることができる、進化型ノードＢ（ｅＮＢ）１０（または基地局）を示す。マクロｅＮＢは実際にはサイズおよび構造においてマイクロｅＮＢと同一にならないが、説明のためにｅＮＢ１０は同様な構成要素を含むものと仮定されることが認識されるであろう。したがって、ｅＮＢ１０は、ｅＮＢ１０の動作を制御する処理モジュール４０を備えた回路を含む。いくつかの実施形態において処理モジュール４０は、１つまたは複数のプロセッサ（例えばＣＰＵ、ＡＳＩＣ、ＦＰＧＡなど）を含む。処理モジュール４０は、ネットワーク２内のＵＥ１２に信号を送信し、およびそれから信号を受信するために用いられる、関連付けられたアンテナ４４を有するトランシーバモジュール４２に接続される。ｅＮＢ１０はまたメモリモジュール４６を備え、これは処理モジュール４０に接続され、ｅＮＢ１０の動作のために必要なプログラムならびに他の情報およびデータを記憶する。ｅＮＢ１０はまた、ｅＮＢ１０が他の基地局１０と情報を交換する（例えばＸ２インターフェースを経由して）ことを可能にするための構成要素および／または回路４８、およびｅＮＢ１０がコアネットワーク４内のノードと情報を交換する（例えばＳ１インターフェースを経由して）ことを可能にするための構成要素および／または回路４９を含む。他のタイプのネットワーク（例えばユニバーサル地上無線アクセスネットワーク（ＵＴＲＡＮ）または広帯域符号分割多元接続（ＷＣＤＭＡ）無線エリアネットワーク（ＲＡＮ））における使用のための基地局は、図９に示されるものと同様の構成要素、およびそれらのタイプのネットワーク内の他のネットワークノード（例えば他の基地局、モビリティ管理ノード、および／またはコアネットワーク内のノード）との通信を可能にするための適切なインターフェース回路を含むであろうことが認識されるであろう。
【００４７】
時間領域におけるプリコーディングダイバーシティを可能にするシステムおよび方法がもたらされる。いくつかの実施形態においてＵＥ１２は、物理チャネルはサブフレームのセットにわたって反復される旨のインジケーションを受け取り、ＵＥ１２は物理チャネルの反復の第１のサブセットおよび参照信号が第１のプリコーダを用いると想定することができる旨のインジケーションを受け取るように構成された処理モジュール３０とメモリモジュール３６とを含んだ回路を含む。このようにして、いくつかの実施形態においてＵＥ１２は、物理チャネルによって用いられる参照信号を含む、反復をコヒーレントに組み合わせることができる。物理チャネルの反復をコヒーレントに組み合わせる能力は、物理チャネルの推定、および反復された参照信号から導き出されるチャネル推定の両方を改善する。いくつかの実施形態において、ＵＥ１２がこれらのインジケーションを受け取ることは、ＵＥ１２がどのタイプのデバイスであるか、またはＵＥ１２がどの動作モードにあるかを決定することを含む。いくつかの実施形態において、ＵＥ１２は物理チャネルの反復の第１のサブセットおよび参照信号が第１のプリコーダを用いると想定することができる旨のインジケーションは、第１のサブセット内にどれだけ多くの反復があるかのインジケーションである。
【００４８】
図１０は、本開示のいくつかの実施形態によるｅＮＢ１０の動作を示す。ｅＮＢ１０は最初にＵＥ１２に、物理チャネルはサブフレームのセットにわたって反復される旨を示す（ステップ１００）。上記で論じられたように、これは例えばＵＥ１２が属するデバイスのクラスによるものとすることができ、またはそれがカバレッジ強化モードにあるためとすることができる。次いでｅＮＢ１０はＵＥ１２に、ＵＥ１２は物理チャネルの反復の第１のサブセットおよび参照信号が第１のプリコーダを用いると想定することができる旨を示す（ステップ１０２）。これはＵＥ１２が、コヒーレントな組み合わせまたは同様の技法を用いて、そうでない場合に可能になるであろうものと比べて、反復のより良好な復号を得ることを可能にし得る。以下でより詳しく論じられるように、反復の第１のサブセットのこのインジケーションは、送信器ポートを変化させること、または異なる周波数にホッピングすることによって示されることができる。またいくつかの実施形態において、周波数ホッピングが用いられない場合でも、どの反復が第１のサブセットに含められ、同じプリコーダを用いるかを示すために、周波数ホッピング周期を示すパラメータなどのシステムタイミング値が用いられ得る。
【００４９】
図１１は、本開示のいくつかの実施形態によるＵＥ１２の動作を示す。ＵＥ１２は最初に、物理チャネルはサブフレームのセットにわたって反復される旨のインジケーションを受け取る（ステップ２００）。上記で論じられたように、これは例えばＵＥ１２が属するデバイスのクラスによるものとすることができ、またはそれがカバレッジ強化モードにあるためとすることができる。ＵＥ１２はまた、ＵＥ１２は物理チャネルの反復の第１のサブセットおよび参照信号が第１のプリコーダを用いると想定することができる旨のインジケーションを受け取る（ステップ２０２）。以下でより詳しく論じられるように、反復の第１のサブセットのこのインジケーションは、送信器ポートを変化させること、または異なる周波数にホッピングすることによって示されることができる。またいくつかの実施形態において、周波数ホッピングが用いられない場合でも、どの反復が第１のサブセットに含められ、同じプリコーダを用いるかを示すために、周波数ホッピング周期を示すパラメータなどのシステムタイミング値が用いられ得る。
【００５０】
このようにしていくつかの実施形態において、任意選択でＵＥ１２は、物理チャネルを復号するために、反復の第１のサブセットの複数をコヒーレントに組み合わせることができる（ステップ２０４）。物理チャネルの反復をコヒーレントに組み合わせる能力は、物理チャネルの推定、および反復された参照信号から導き出されるチャネル推定の両方を改善する。
【００５１】
時間において複数のサブフレームに及ぶデータ送信に対して、他のタイプのダイバーシティ（例えば周波数ダイバーシティ）に加えて、時間領域プリコーディングダイバーシティが得られることができる。この技法は、ＤＬ制御チャネル（例えばＭＴＣ物理ダウンリンク制御チャネル（Ｍ−ＰＤＣＣＨ））およびＤＬデータチャネル（例えば物理ダウンリンク共有チャネル（ＰＤＳＣＨ））の両方を含み、ならびにブロードキャスト送信（例えばＭＴＣシステム情報ブロックｘ（ＳＩＢｘ）、再認可要求（ＲＡＲ）、ページング）およびユニキャスト送信（例えばユニキャストＤＬデータペイロード）の両方を含む、復調用参照信号（ＤＭＲＳ）ベースとすることができるすべてのダウンリンク（ＤＬ）送信に適用される。プリコーダＷｉはＤＭＲＳ、および同じサブフレーム内の対応するＰＤＳＣＨの変調シンボルに適用される。構成される必要があるパラメータは、プリコーダ周期性Ｍであり、これはいくつかの実施形態において、どれだけ多くのサブフレームに対して、用いられるプリコーダが同じになることをＵＥ１２が想定することができるかを示す。いくつかの実施形態において、本明細書で論じられる送信は、Ｍ−ＰＤＣＣＨ（適用可能な場合）およびＰＤＳＣＨの両方に適用される。
【００５２】
ＭＴＣ−ＳＩＢ１のブロードキャスト送信に対して、プリコーダ周期性Ｍは、シグナリングが不要となるように仕様において予め定義されることが好ましい。あるいはこれは、オーバーヘッドが許容できると見なされる場合、ＭＩＢを通じてシグナリングされることができる。ＭＴＣ−ＳＩＢ１以外のＭＴＣ−ＳＩＢ、例えばＭＴＣ−ＳＩＢ２、ＭＴＣ−ＳＩＢ３のブロードキャスト送信に対して、プリコーダ周期性Ｍは、シグナリングが不要となるように仕様において予め定義されることが好ましい。あるいはこれはＭＴＣ−ＳＩＢ１を通じてシグナリングされることができる。ＲＡＲおよびページングのブロードキャスト送信に対して、プリコーダ周期性Ｍは、シグナリングが不要となるように仕様において予め定義されることが好ましい。あるいはこれは、ＭＴＣ−ＳＩＢの１つを通じてシグナリングされることができる。ユニキャスト送信に対して、プリコーダ周期性Ｍは、ＵＥ固有ＲＲＣ構成メッセージを通じてシグナリングされることが好ましい。
【００５３】
プリコーダ周期性Ｍの値は、以下の少なくとも１つによって決定され得る：
サブフレームの数、これは直接的な方法である、
無線フレームの数、ただしＬＴＥにおいて１無線フレームは１０サブフレームである、および／または、
他の周期、例えば周波数ホッピング周期の関数。
【００５４】
ＵＥ１２がｅＮＢ１０のダウンリンクの十分に良好な周波数トラッキングを有するとき、ＵＥ１２は、ｅＮＢが同じプリコーディングベクトルを用いたことをＵＥ１２が知ったとき、Ｍ個のサブフレームのセットにわたる反復をコヒーレントに累積することができる。ここで、ｅＮＢ１０は複雑さの低いＵＥ１２のために常にランク１送信を用いるので、プリコーダはベクトルとなる。ＵＥ１２は、この知識を用いて、Ｍ個のサブフレーム内のＤＭＲＳからのチャネル推定を改善することができる。Ｍは１以上の整数である。異なるプリコーディングおよび／または周波数ホッピングが用いられるとき、ＵＥ１２はサブフレームにわたってコヒーレントに組み合わせることができる。したがって、いつ同じプリコーディングが用いられるかを知ることはまた、いつサブフレームの各セット内の組み合わされた参照信号を用いてチャネル推定を行い、サブフレームの異なるセットにわたって受信された信号をコヒーレントに組み合わせるべきかを知ることを可能にする。
【００５５】
同じプリコーダが用いられる反復は、直接的または暗黙的に示されることができる。１つの直接的手法において、いつ新しいプリコーダが用いられるかを識別するために、３ＧＰＰ  ＴＳ  ３６．２１１  ｖ１２．０．０からのサブフレームｎｓ内のスロットインデックスなどの、システム時間のインデックスが用いられる。異なるＵＥ１２へのＰＤＳＣＨ送信は、異なるプリコーダの間で拡げられるべきであり、したがって、ＵＥ１２識別情報は、いつ新しいプリコーダが用いられるかを決定するために用いられることができる。この場合、新しいプリコーダは
0006596573.tif 000008
であるときに用いられることができ、ただしｎＲＮＴＩは、セルＲＮＴＩ（Ｃ−ＲＮＴＩ）、ページングＲＮＴＩ（Ｐ−ＲＮＴＩ）、ランダムアクセスＲＮＴＩ（ＲＡ−ＲＮＴＩ）、システム情報ＲＮＴＩ（ＳＩ−ＲＮＴＩ）などの無線ネットワーク一時識別子（ＲＮＴＩ）である。暗黙的手法において、物理チャネルは、Ｍ個のサブフレームごとの後に、異なるアンテナポート上で送信される。ＰＤＳＣＨの例示的実施形態において、ＤＭＲＳポート番号ｐは、
0006596573.tif 000009
として決定され得る。これらの実施形態のさらなる詳細は以下で論じられる。
【００５６】
Ｍ個のサブフレームの１つのセットからＭ個のサブフレームの次のセットに、プリコーディングベクトルは、空間ダイバーシティを得るために変化することができる。Ｍ個のサブフレームのＮ個のセットにわたってｅＮＢ１０は、最大でＮ個の潜在的に異なるプリコーディング行列を通して巡回することができる。できるだけ多くのＭ×Ｎ個のサブフレームがコヒーレントに組み合わされることを可能にするために、Ｎを小さくすることが望ましくなり得る。このような場合、Ｎは送信アンテナの数に等しく、Ｎ個のプリコーディングベクトルは相互に直交することが好ましい。しかし、ＤＭＲＳベースのプリコーディングを用いると、用いられるプリコーディング行列はＵＥ１２にトランスペアレントであり、すなわち、Ｗｉを予め定義し、またはＷｉをＵＥ１２にシグナリングする必要はないことに留意されたい。
【００５７】
ランク１プリコーディングが用いられるので、ＤＭＲＳポート（ポート７）上で送信するために用いられるアンテナエレメントの数に関わらず、所与のサブフレームにおいて１つのＤＭＲＳポートが必要となるだけである。これは、２つ（または２つ以上）のアンテナポートを用いる、分散型ＥＰＤＣＣＨのために用いられるリソースエレメント（ＲＥ）ごとのプリコーダ巡回と比べて、オーバーヘッドを低減している。図６でのようなＤＭＲＳに対してＲＥの２つのグループ（例えば物理リソースブロック（ＰＲＢ）ごとに２４個のＲＥ）の代わりに、ＲＥの１つのグループが、ＤＭＲＳ送信のために予約される必要があるだけである（例えばＰＲＢごとに１２個のＲＥ）。
【００５８】
ＤＭＲＳまたはＰＤＳＣＨのために、より高い送信電力が使用可能である。すなわちポート７ＤＭＲＳの送信電力は、ポート７およびポート８の両方がオンにされるケースより、３ｄＢ高くなることができる。あるいはポート８のために用いられたであろう電力は、ＰＤＳＣＨ  ＲＥのために用いられることができる。分かりやすくするために図のいくつかにおいてサブフレームは連続のように示されるが、実際の動作ではそれらは連続であってもなくてもよいことに留意されたい。さらにサブフレームセットは、同数（Ｍ）の使用可能なサブフレームをもたない場合があることも可能である。これは例えばいくつかのＤＬサブフレームが、制御／データ送信のために使用可能でないことによる。具体的にはサブフレームは、ＤＬ送信のために、（ａ）ＴＤＤ構成、（ｂ）ＭＢＳＦＮサブフレーム、（ｃ）測定ギャップなどにより使用不可能となり得る。サブフレームが連続でない、またはセットが異なる数の使用可能サブフレームを含むときでも、同じ原理が当てはまる。すなわちｅＮＢ１０およびＵＥ１２が、どのサブフレームが同じプリコーディングベクトルＷを用いるかを知っている限り、これは性能を強化するためにチャネル推定において用いられることができる。
【００５９】
また分かりやすくするために、所与のサブフレームの狭帯域におけるすべてのＰＲＢが、同じプリコーディングベクトルを用いることを仮定しているが、一般にこれは必要ではないことに留意されたい。一般に狭帯域内のＰＲＢは、Ｑ個の連続したＰＲＢのＰ個のグループにグループ化されることができ、その結果ＵＥ１２は、所与のグループのＰＲＢの間で同じプリコーディングベクトルが用いられるが、ＰＲＢグループの間で異なるプリコーディング行列が適用され得ることを想定することができる。この場合プリコーディングダイバーシティ方法は、プリコーディングベクトルは所与のＰＲＢグループに対して、Ｍ個のサブフレームのセット内で同じままであるが、Ｍ個のサブフレームの異なるセットでは異なるプリコーディングベクトルに変化できることを意味する。
【００６０】
図１２は、周波数ホッピングなしの、時間領域プリコーディングダイバーシティを用いた実施形態を示す。この実施形態では、周波数ホッピングなしのＤＭＲＳベースの周期的プリコーダ巡回が用いられる。図１２に示されるように、所与の情報ブロックを送信するためにＮ×Ｍ個のサブフレームが用いられる。Ｍ個のサブフレームの第１のセットはプリコーダＷ０を用い、Ｍ個のサブフレームの第２のセットはプリコーダＷ１を用い、・・・、Ｍ個のサブフレームのＮ番目のセットはプリコーダＷＮ−１を用いる。
【００６１】
このシナリオにおいて、周波数ホッピングは適用されない。しかし、プリコーダ巡回により、周波数領域ダイバーシティがないことを補償することを助けるように、空間領域ダイバーシティが達成される。いくつかの実施形態において、周波数ホッピングが用いられなくても、Ｍの値を示すために周波数ホッピング周期を示すパラメータなどのシステムタイミング値が用いられ得る。
【００６２】
図１３は、周波数ホッピングを有する時間領域プリコーディングダイバーシティを用いた実施形態を示す。この実施形態では、周波数ホッピングを有するＤＭＲＳベースの周期的プリコーダ巡回が用いられる。図１３に示されるように、所与の情報ブロックを送信するためにＮ×Ｍ個のサブフレームが用いられる。Ｍ個のサブフレームの第１のセットはプリコーダＷ０を用い、Ｍ個のサブフレームの第２のセットはプリコーダＷ１を用い、以下Ｍ個のサブフレームのＮ番目のセットがプリコーダＷＮ−１を用いるまで同様となる。周波数ホッピングは、各セットが周波数領域において、潜在的に異なる狭帯域位置に移動できるように適用される。
【００６３】
図１３において周波数ホッピング周期はプリコーダ巡回周期Ｍと同じであり、ここで周波数ホッピング周期は、異なる狭帯域にホッピングする前に、送信が同じ狭帯域に位置する、サブフレームの数である。一般に周波数ホッピング周期は、プリコーダ巡回周期と同じである必要はない。周波数ホッピングパターン（周波数ホッピング周期を含む）の主な考慮すべき事項は、より低いシグナリングオーバーヘッド、ＵＥ１２の間の低い衝突率、ブロードキャストタイプの送信とユニキャストタイプとの低い衝突率、再チューニング時間のオーバーヘッドなどである。プリコーダ巡回周期の主な考慮すべき事項は、チャネルのコヒーレンス時間である。
【００６４】
例えば周波数ホッピング周期は２×Ｍ個のサブフレームとすることができ、その結果１つの周波数ホッピング周期において、周波数ホッピング周期内でダイバーシティを得るために２つの異なるプリコーダが適用されることができる。いずれにしてもＭの値は、周波数ホッピング周期のインジケーションによって、ＵＥ１２に示されることができる。
【００６５】
図１４では、ＤＬ周波数ホッピングパターンが、２つの狭帯域｛狭帯域＃０、狭帯域＃１｝のみの間だけである実施形態が示される。異なるＵＥ１２は｛狭帯域＃０、狭帯域＃１｝のうちの異なるものを用いることができ、その結果それらの送信は同じサブフレームにわたって多重化される。２つの狭帯域位置のみを用いることは、複数のＵＥ１２からの送信が同時に進行中であるとき、簡潔性、および衝突低減の利点を有する。この場合プリコーダ巡回は、限られた周波数ダイバーシティを補償するように空間ダイバーシティをもたらす。
【００６６】
いくつかの実施形態において、空間ダイバーシティを増加させるために２つのＤＭＲＳポートが用いられ、サブフレーム内のＲＥのサブセットはＤＭＲＳポート７に関連付けられ、サブフレーム内の残りのＲＥはＤＭＲＳポート８に関連付けられる。ここで「関連付け」とは、ＲＥにわたって送信されるデータが、関連付けられたＤＭＲＳポートによって用いられるものと同じプリコーダを用いてプリコーディングされることを意味する。図１５に例が示され、「１」とラベルが付されたＲＥのセット（セット１と呼ばれる）は２つのＤＭＲＳポート（ポート７またはポート８のいずれか）の一方に関連付けられ、「２」とラベルが付されたＲＥのセット（セット２と呼ばれる）は他方のＤＭＲＳポートに関連付けられる。図１５に示されるＲＥの２つのセットは単に例であり、他の分割があり得る。
【００６７】
複数のサブフレームにわたる同じデータの時間反復をうまく利用するために、ＲＥのセットとＤＭＲＳポートとの間の関連付けは、反復周期にわたって２つのサブフレームの間で変化されることができる。図１６に例が示され、データ送信は７つのサブフレーム（すなわちサブフレームｋからｋ＋６）において反復される。最初の４つのサブフレーム（すなわちサブフレームｋからｋ＋３）においてプリコーダの１つのセットが用いられ、次の３つのサブフレーム（すなわちサブフレームｋ＋４からｋ＋６）においてプリコーダの異なるセットが用いられる。サブフレームｋにおいて、セット１のＲＥはＤＭＲＳポート７に関連付けられ、セット２のＲＥはＤＭＲＳポート８に関連付けられる。次いでサブフレームＫ＋１において関連付けは切り換えられ、すなわちセット１のＲＥはＤＭＲＳポート８に関連付けられ、セット２のＲＥはＤＭＲＳポート７に関連付けられる。関連付けは、後続のサブフレームにおいても切り換えられる。
【００６８】
ポートと各ＲＥセットの関連付けは、第１のサブフレームにおいて予め定義されることができ、次いで関連付けは後続のサブフレームにおいて切り換えられる。ＤＭＲＳポート７および８のためのプリコーダは、プリコーダ巡回周期内で不変である。この例ではプリコーダＷ１およびＷ２は、最初の４つのサブフレームにおいてポート７およびポート８のために用いられる。プリコーダは、次の３つのサブフレームにおいてＷ３およびＷ４に切り換えられる。これは各プリコーダ巡回周期にわたる、コヒーレントなＤＭＲＳおよびデータ組み合わせを可能にする。組み合わせの後、各ＤＭＲＳポートに関連付けられたチャネルは、推定されることができる。各ＤＭＲＳポート上の推定されたチャネルは、各サブフレーム内の関連付けられたデータＲＥ上で受信された信号を等化するために用いられることができる。各プリコーダ巡回周期からの等化されたデータは次いで、復調および復号される前にコヒーレントに組み合わされる。いくつかの実施形態においてこれは、ＲＥの同じセット上で送信された信号が、異なるサブフレーム内の異なるプリコーディングされたチャネルを通過することを可能にし、したがって、複数のサブフレームにわたる、より良好なチャネル平均化を可能にする。
【００６９】
他の実施形態において、物理チャネルによって用いられるアンテナポートは、所与のバンドルに対して、Ｍ個のサブフレームの１つのセットから別のセットに変化することができる。ここで「バンドル」とは、単一の制御またはデータチャネル送信に関連付けられた、物理チャネル反復の全体のセットを指す。同じアンテナポートおよびサブキャリアを用いた反復は、コヒーレントに組み合わされることができる。これは図１７に示される。この実施形態において、使用可能な２つのアンテナポート（ＡＰ０、ＡＰ１）が存在し、それらはバンドル内で交替されると仮定される。一般に必要ではないがこの例はまた、アンテナポートホッピング周期は、周波数ホッピング周期Ｍに等しいと仮定する。
【００７０】
１つの例は、局所型Ｍ−ＰＤＣＣＨ送信である。バンドル内のすべてのサブフレームに対して同じアンテナポートを用いる代わりに、アンテナポートはパラメータＭおよびＮに従って変化することができる。例えば局所型送信のために用いられる単一のアンテナポートｐは、次式を用いて表２（３ＧＰＰ  ＴＳ  ３６．２１１  ｖ１２．０．０の表６．８Ａ．５−１から）で与えられ、
0006596573.tif 000010
ただしｎＥＣＣＥ，ｌｏｗはＥＰＤＣＣＨセットにおけるこのＥＰＤＣＣＨ送信によって用いられる最も低いＥＣＣＥインデックスであり、ｎＲＮＴＩはＣ−ＲＮＴＩに等しく、および
0006596573.tif 000011
はこのＥＰＤＣＣＨのために用いられるＥＣＣＥの数である。ここで
0006596573.tif 000012
は、アンテナポート巡回周期のインデックス、ｎ＝０、１、・・・Ｎ−１である。用いられるアンテナポートは、アンテナポート巡回周期内のＭ個のサブフレームにわたって一定に保たれる。変数ｎｓは、Ｍ−ＰＤＣＣＨがその上で送信される無線フレーム内のスロット番号である。
0006596573.tif 000013
表２
【００７１】
いくつかの実施形態において、同様なアンテナポートホッピング方式がＰＤＳＣＨ送信にも適用されることができる。
【００７２】
空間ダイバーシティに加えて、他のタイプのダイバーシティが同様のやり方で適用されることができる。一例において、ダイバーシティは反復バージョン（ＲＶ）ダイバーシティである。Ｍ個のサブフレームの所与のセットは、同じＲＶを用いる。１つのセットから次のセットに、潜在的に異なるＲＶが用いられる。巡回するためのＲＶのシーケンスは、仕様において予め定義されることが好ましい。
【００７３】
１つの代替において、バンドルに対して用いるための開始ＲＶは固定され、例えばＲＶ＝０であり、したがって、シグナリングは必要ない。いくつかの実施形態において、これはＭ−ＰＤＣＣＨ送信、および関連付けられたＭ−ＰＤＣＣＨをもたないＰＤＳＣＨ送信に対して適切である。
【００７４】
他の代替において、バンドルに対して用いるための開始ＲＶは動的または半静的であり、ｅＮＢ１０によってシグナリングされる。これは関連付けられたＭ−ＰＤＣＣＨが、開始ＲＶを動的なやり方でもたらすことができるＰＤＳＣＨに対して用いられることができる。
【００７５】
上記の実施形態の結果として、同じプリコーディングを用いる反復に対するコヒーレントな組み合わせの利得を可能にしながら、異なるプリコーディングが、物理チャネルの反復された送信のためのダイバーシティ次数を増加させるために用いられることができる。ＵＥ１２は用いられるプリコーダを認識する必要がなく、ＵＥ１２の実装を簡単にする。
【００７６】
図におけるプロセスは、本開示のいくつかの実施形態によって行われる動作の特定の順序を示すが、このような順序は例示的であることが理解されるべきである（例えば代替的実施形態は、動作を異なる順序で行う、いくつかの動作を組み合わせる、いくつかの動作を重ね合わせることなどができる）。
【００７７】
図１８は本開示のいくつかの実施形態による、モジュールを含むｅＮＢ１０の図である。ｅＮＢ１０は、ソフトウェアにおいて実施される少なくとも通信モジュール５０を含む。通信モジュール５０は、本明細書で述べられるｅＮＢ１０の機能をもたらす。例えば通信モジュール５０は、物理チャネルはサブフレームのセットにわたって反復される旨をＵＥ１２に示すように動作することができ、通信モジュール５０はさらに、ＵＥ１２に、ＵＥ１２は物理チャネルの反復の第１のサブセットおよび参照信号が第１のプリコーダを用いると想定することができる旨を示すように動作することができる。
【００７８】
図１９は本開示のいくつかの実施形態による、モジュールを含むＵＥ１２の図である。ＵＥ１２は、ソフトウェアにおいて実施される少なくとも通信モジュール５２、および任意選択で組み合わせモジュール５４を含む。通信モジュール５２は、本明細書で述べられるＵＥ１２の機能をもたらす。例えば通信モジュール５２は、物理チャネルはサブフレームのセットにわたって反復される旨のインジケーションを受け取るように動作することができ、および通信モジュール５２はさらに、ＵＥ１２は物理チャネルの反復の第１のサブセットおよび参照信号が第１のプリコーダを用いると想定することができる旨のインジケーションを受け取るように動作することができる。任意選択の組み合わせモジュール５４は、物理チャネルを復号するために、反復の第１のサブセットの複数をコヒーレントに組み合わせるように動作することができる。
【００７９】
図２０は、本開示のいくつかの実施形態による、ｅＮＢ１０の仮想化された実施形態を示す概略ブロック図である。本明細書で用いられる「仮想化」ネットワークノードとは、ｅＮＢ１０の機能の少なくとも一部分が仮想構成要素として（例えばネットワーク内の物理処理ノード上で実行する仮想マシンによって）実施される、ｅＮＢ１０の実装形態である。示されるように、この例においてｅＮＢ１０は、１つまたは複数のプロセッサ５８（例えばＣＰＵ、ＡＳＩＣ、ＦＰＧＡなど）、メモリ６０、およびネットワークインターフェース６２を含んだ、制御システム５６を含む。さらにｅＮＢ１０は無線ネットワークノードであるのでｅＮＢ１０は、上述のように１つまたは複数の送信器６６と、１つまたは複数のアンテナ７０に結合された１つまたは複数の受信器６８とをそれぞれが含む、１つまたは複数の無線ユニット６４をさらに含む。制御システム５６は、例えば光ケーブルなどを通じて無線ユニット６４に接続される。制御システム５６は、ネットワーク７４に結合されまたはその一部として含まれる１つまたは複数の処理ノード７２に、ネットワークインターフェース６２を経由して接続される。各処理ノード７２は、１つまたは複数のプロセッサ７６（例えばＣＰＵ、ＡＳＩＣ、ＦＰＧＡなど）、メモリ７８、およびネットワークインターフェース８０を含む。
【００８０】
この例において、本明細書で述べられるｅＮＢ１０の機能８２は、１つまたは複数の処理ノード７２において実施され、または制御システム５６および１つまたは複数の処理ノード７２にわたって任意の所望のやり方で分散される。いくつかの特定の実施形態において、本明細書で述べられるｅＮＢ１０の機能８２のいくつかまたはすべては、処理ノード７２によってホストされた仮想環境において実施される、１つまたは複数の仮想マシンによって実行される仮想構成要素として実施される。当業者によって認識されるように、所望の機能８２の少なくともいくつかを遂行するために、処理ノード７２と制御システム５６との間の、追加のシグナリングまたは通信が用いられる。特に、いくつかの実施形態において制御システム５６は含まれなくてよく、この場合無線ユニット６４は、適切なネットワークインターフェースを経由して処理ノード７２と直接通信する。いくつかの他の実施形態においてｅＮＢ１０は、全体に仮想化される（すなわち制御システム５６または無線ユニット６４を含まない）。
【００８１】
いくつかの実施形態においてコンピュータプログラムがもたらされ、これは少なくとも１つのプロセッサによって実行されたときに、少なくとも１つのプロセッサに、本明細書で述べられる実施形態のいずれかによる仮想環境におけるｅＮＢ１０の機能８２の１つまたは複数を実施するｅＮＢ１０またはノード（例えば処理ノード７２）の機能を遂行させる命令を含む。いくつかの実施形態において、上記のコンピュータプログラム製品を備えたキャリアがもたらされる。キャリアは、電気信号、光信号、無線信号、またはコンピュータ可読記憶媒体（例えばメモリなどの非一時的コンピュータ可読媒体）のうちの１つである。
【００８２】
本発明はいくつかの実施形態によって述べられたが、当業者は、本発明が述べられた実施形態に限定されず、添付の特許請求の範囲の趣旨および範囲内で変更および変形を有して実施されることができることを認識するであろう。したがって、説明は、限定的ではなく例示的であると見なされるべきである。
【００８３】
本開示の全体にわたって、以下の頭字語が用いられる。
・３ＧＰＰ  第３世代パートナーシッププロジェクト
・ＡＳＩＣ  特定用途向け集積回路
・ＢＷ  帯域幅
・ＣＰ  サイクリックプレフィックス
・ＣＰＵ  中央処理装置
・Ｃ−ＲＮＴＩ  セルＲＮＴＩ
・ＤＣＩ  ダウンリンク制御情報
・ＤＬ  ダウンリンク
・ＤＭＲＳ  復調用参照信号
・ＤＲＸ  間欠受信
・ＥＣＣＥ  拡張制御チャネルエレメント
・ｅＮＢ  進化型ノードＢ
・ＥＰＤＣＣＨ  拡張物理ダウンリンク制御チャネル
・ＥＲＥＧ  拡張リソースエレメントグループ
・ＦＰＧＡ  フィールドプログラマブルゲートアレイ
・ＧＰＳ  全地球測位システム
・ＬＴＥ  ロングタームエボリューション
・Ｍ２Ｍ  マシンツーマシン
・ＭＩＭＯ  多入力多出力
・Ｍ−ＰＤＣＣＨ  ＭＴＣ物理ダウンリンク制御チャネル
・ＭＴＣ  マシン型通信
・ＯＣＣ  直交カバーコード
・ＯＦＤＭ  直交周波数分割多重
・ＰＢＣＨ  物理ブロードキャストチャネル
・ＰＣＦＩＣＨ  物理制御フォーマット指示チャネル
・ＰＤＣＣＨ  物理ダウンリンク制御チャネル
・ＰＤＳＣＨ  物理ダウンリンク共有チャネル
・ＰＨＩＣＨ  物理ハイブリッド自動再送要求指示チャネル
・ＰＭＣＨ  物理マルチキャストチャネル
・ＰＭＩ  プリコーディング行列インジケータ
・ＰＲＢ  物理リソースブロック
・Ｐ−ＲＮＴＩ  ページングＲＮＴＩ
・ＲＡＮ  無線アクセスネットワーク
・ＲＡＲ  ランダムアクセス応答
・ＲＡ−ＲＮＴＩ  ランダムアクセスＲＮＴＩ
・ＲＢ  リソースブロック
・ＲＥ  リソースエレメント
・ＲＮＴＩ  無線ネットワーク一時識別子
・ＲＳ  参照シンボル
・ＲＶ  反復バージョン
・ＳＩＢ  システム情報ブロック
・ＳＩ−ＲＮＴＩ  システム情報ＲＮＴＩ
・ＴＤＤ  時分割複信
・ＴＦＲＥ  時間／周波数リソースエレメント
・ＵＥ  ユーザ機器
・ＵＴＲＡＮ  ユニバーサル地上無線アクセスネットワーク
・ＶｏＩＰ  ボイスオーバＩＰ
・ＶＰＮ  仮想パーソナルネットワーク
・ＷＣＤＭＡ  広帯域符号分割多元接続
【００８４】
当業者は、本開示の実施形態に対する改善および変更を認識するであろう。すべてのこのような改善および変更は、本明細書で開示される概念の範囲内であると見なされる。
【図１】
0006596573.tif 000014
【図２】
0006596573.tif 000015
【図３】
0006596573.tif 000016
【図４】
0006596573.tif 000017
【図５】
0006596573.tif 000018
【図６】
0006596573.tif 000019
【図７】
0006596573.tif 000020
【図８】
0006596573.tif 000021
【図９】
0006596573.tif 000022
【図１０】
0006596573.tif 000023
【図１１】
0006596573.tif 000024
【図１２】
0006596573.tif 000025
【図１３】
0006596573.tif 000026
【図１４】
0006596573.tif 000027
【図１５】
0006596573.tif 000028
【図１６】
0006596573.tif 000029
【図１７】
0006596573.tif 000030
【図１８】
0006596573.tif 000031
【図１９】
0006596573.tif 000032
【図２０】
0006596573.tif 000033